(57)【特許請求の範囲】
【請求項１】
支柱およびジョイントパイプにそれぞれ設けられた貫通孔の両方に支柱連結用ロックピンに設けられた係合部が嵌まり込むことで支柱とジョイントパイプとがロックされている仮設足場の支柱に対し、支柱に直交する方向から嵌め合わせられることによって支柱連結用ロックピンによるロックを解除するロック解除治具であって、
ばね性を有し、互いに対向して支柱の外周面を挟持する１対の挟持部材を有する治具本体と、
各挟持部材の対向面に設けられて支柱の貫通孔内に挿入される挿入部材とを備えている、支柱連結用ロックピンのロック解除治具。
【請求項２】
１対の挟持部材は、基端側において連結部材により結合されており、連結部材に、把手部が設けられている、請求項１の支柱連結用ロックピンのロック解除治具。
【請求項３】
１対の挟持部材と連結部材とは一体に形成されている、請求項１または２の支柱連結用ロックピンのロック解除治具。
【請求項４】
各挟持部材は、挿入部材が設けられている中央挟持部と、中央挟持部の先端側に連なる先端側挟持部と、中央挟持部の基端側に連なる基端側挟持部とを備えており、治具本体は、各挟持部が支柱に接することで、６点で支柱を挟持している、請求項１から３までのいずれかに記載の支柱連結用ロックピンのロック解除治具。
【請求項５】
各基端側挟持部の基端側に連なって支柱への嵌め合わせ時に支柱に当接するストッパ部が設けられており、挿入部材は、ストッパ部が支柱に当接した際に貫通孔内に挿入されるように、中央挟持部に固定されている、請求項４の支柱連結用ロックピンのロック解除治具。
【発明の詳細な説明】
【技術分野】
【０００１】
この発明は、仮設足場の支柱同士を連結する際に使用されるロックピンを解除するためのロック解除治具に関する。
【背景技術】
【０００２】
建設工事などでは、足場板、支柱、手摺などの部材を組み付けていくことで形成される仮設足場が使用されている。仮設足場において、上下に隣り合う２本の支柱同士は、支柱の内部に入り込むことができる外径を有するジョイントパイプと、ジョイントパイプからの支柱の抜け止めを防止するロックピンとによって結合されている。
特許文献１には、ロックピンとして、金属製板材を略コ字状に形成してなり、その両端の脚部がジョイントパイプに差し込むことができるようになっている板バネ体と、板バネ体の先端外面に設けられたピン部材とからなり、ジョイントパイプに設けられた１対の貫通孔と支柱に設けられた１対の貫通孔とが互いに重ね合わせられた状態で、これらの貫通孔内にロックピンのピン部材が板バネ体の弾性力で付勢されて挿入されることにより、ジョイントパイプに対する支柱の抜け止めを行うものが開示されている。
ロックピンのピン部材には、支柱をねじった際に、ピン部材が支柱の貫通孔から退出してジョイントパイプの貫通孔内に収まるようにするためのテーパ面が設けられており、仮設足場の分解に際しては、支柱をねじった状態にして、支柱を上方に移動させることで支柱同士を分離できるようになっている。
【先行技術文献】
【特許文献】
【０００３】
【特許文献１】実開平６−３５５０３号公報
【発明の概要】
【発明が解決しようとする課題】
【０００４】
上記のように、仮設足場において支柱同士の分離は、支柱をねじった状態にして、支柱を上方に移動させることででき、便利であるが、左右に隣り合う支柱同士が結合された状態のままでは、支柱をねじることができないため、ロックピンによるロックの解除ができない。そのため、左右に隣り合う支柱同士が結合された状態のままで仮設足場を分解することが困難という問題があった。
【０００５】
この発明は、上記の課題に鑑みてなされたものであって、左右に隣り合う支柱同士が結合された状態のままで仮設足場を分解する場合に、ロックピンによるロックを解除することができる、支柱連結用ロックピンのロック解除治具を提供することを目的としている。
【課題を解決するための手段】
【０００６】
この発明は、上記の目的を達成するために、以下の態様からなる。
なお、この発明を特定するに当たり、支柱と支柱連結用ロックピンのロック解除治具との位置関係として、「先端側」とは、ロック解除治具の支柱への嵌め合わせ作業において、先に支柱に当接する側（図１の上側）をいい、「基端側」とは、その逆（図１の下側）をいうものとする。また、図１の左右の中心線に近い側を内側、同遠い側を外側というものとする。
【０００７】
１）支柱およびジョイントパイプにそれぞれ設けられた貫通孔の両方に支柱連結用ロックピンに設けられた係合部が嵌まり込むことで支柱とジョイントパイプとがロックされている仮設足場の支柱に対し、支柱に直交する方向から嵌め合わせられることによって支柱連結用ロックピンによるロックを解除するロック解除治具であって、
ばね性を有し、互いに対向して支柱の外周面を挟持する１対の挟持部材を有する治具本体と、
各挟持部材の対向面に設けられて支柱の貫通孔内に挿入される挿入部材とを備えている、支柱連結用ロックピンのロック解除治具。
【０００８】
２）１対の挟持部材は、基端側において連結部材により結合されており、連結部材に、把手部が設けられている、前記１）の支柱連結用ロックピンのロック解除治具。
【０００９】
３）１対の挟持部材と連結部材とは一体に形成されている、前記１）または２）の支柱連結用ロックピンのロック解除治具。
【００１０】
４）各挟持部材は、挿入部材が設けられている中央挟持部と、中央挟持部の先端側に連なる先端側挟持部と、中央挟持部の基端側に連なる基端側挟持部とを備えており、治具本体は、各挟持部が支柱に接することで、６点で支柱を挟持している、前記１）〜３）の支柱連結用ロックピンのロック解除治具。
【００１１】
５）各基端側挟持部の基端側に連なって支柱への嵌め合わせ時に支柱に当接するストッパ部が設けられており、挿入部材は、ストッパ部が支柱に当接した際に貫通孔内に挿入されるように、中央挟持部に固定されている、前記４）の支柱連結用ロックピンのロック解除治具。
【発明の効果】
【００１２】
前記１）の支柱連結用ロックピンのロック解除治具にあっては、仮設足場の上下に隣り合う２本の支柱同士を分離する場合、このロック解除治具を支柱に対して支柱に直交する方向から嵌め合わせると、ばね性を有している治具本体は、その１対の挟持部材によって支柱の外周面を挟持するとともに、その挿入部材が支柱の貫通孔内に挿入され、これにより、支柱に設けられた貫通孔内に入り込んでいた支柱連結用ロックピンの係合部が挿入部材に押し出されて、ジョイントパイプに設けられた貫通孔内にとどまることになる。これにより、係合部による支柱とジョイントパイプとのロックは解除され、上側の支柱を上方に移動させることが可能となる。
したがって、例えば特許文献１記載のロックピンにより支柱同士が連結された仮設足場において、従来は、左右に隣り合う支柱間に足場板および手摺などが取り付けられた状態では、支柱を回転させることができないために、ロックの解除が困難という問題があったが、前記１）の支柱連結用ロックピンのロック解除治具によれば、これを使用することで、支柱を回転させることができない場合であっても、ロックを解除することができる。例えば、左右に複数並ぶ支柱と、これらの間に配置された足場板などとからなる１段分を１ブロックとしてこれを複数ブロック使用して形成されている仮設足場において、左右に複数並ぶ支柱の全てにこのロック解除治具を取り付けておいて、１または複数ブロックをクレーンで引き上げることで、１または複数ブロック分の仮設足場を組立て状態を維持したままで取り外すことができ、効率の良い仮設足場の分解作業を行うことができる。
【００１３】
前記２）の支柱連結用ロックピンのロック解除治具によれば、製作が容易な構成とし、しかも、把手部を手で持つことで支柱への嵌め合わせ作業を楽に行うことができる。
【００１４】
前記３）の支柱連結用ロックピンのロック解除治具によれば、部品数が少なくなることで、製作が容易となる。
【００１５】
前記４）の支柱連結用ロックピンのロック解除治具によれば、６点で支柱を挟持することで、支柱からの抜けを確実に防止することができる。
【００１６】
前記５）の支柱連結用ロックピンのロック解除治具によれば、ストッパ部が支柱に当接することで支柱への嵌め合わせ作業の終了を確認でき、この時に、挿入部材が貫通孔内に挿入されることで、確実なロック解除が保証される。
【図面の簡単な説明】
【００１７】
【図１】この発明の実施形態に係る支柱連結用ロックピンのロック解除治具の第１実施形態を示す平面図である。
【図２】同ロック解除治具の第１実施形態を示す分解斜視図である。
【図３】同ロック解除治具を使用したロック解除工程のロック解除前の状態を示す図で、支柱同士の結合部を水平断面図で、ロック解除治具を平面図で示している。
【図４】同ロック解除治具を使用したロック解除工程のロック解除前の状態を示す図で、支柱同士の結合部およびロック解除治具を斜視図で示している。
【図５】同ロック解除治具を使用したロック解除工程のロック解除状態を示す図で、支柱同士の結合部を水平断面図で、ロック解除治具を平面図で示している。
【図６】同ロック解除治具を使用したロック解除工程のロック解除状態を示す図で、支柱同士の結合部およびロック解除治具を斜視図で示している。
【図７】同ロック解除治具を使用したロック解除工程のロック解除後に支柱を引き上げた状態を示す図で、分離した支柱同士の結合部およびロック解除治具を斜視図で示している。
【図８】同ロック解除治具が使用される仮設足場の１例を示す正面図で、仮設足場を解体する前の状態を示している。
【図９】図８の要部を示す拡大正面図である。
【図１０】同ロック解除治具が使用される仮設足場の１例を示す正面図で、仮設足場から１または複数ブロック分の仮設足場を組立て状態を維持したままで取り外す状態を示している。
【図１１】図１０の要部を示す拡大正面図である。
【図１２】この発明の実施形態に係る支柱連結用ロックピンのロック解除治具の第２実施形態を示す平面図である。
【図１３】同ロック解除治具の第２実施形態を示す分解斜視図である。
【発明を実施するための形態】
【００１８】
この発明の実施形態を、図１〜図１３を参照して以下に説明する。
この発明の実施形態に係る支柱連結用ロックピン(6)のロック解除治具(11)は、これを仮設足場(1)の解体時に使用することで、例えば、図１０に示すように、仮設足場(1)の最上段のブロック(1a)および２段目のブロック(1b)を組立て状態を維持したままで取り外すことができる。
【００１９】
図１および図２は、第１実施形態のロック解除治具(11)を示しており、ロック解除治具(11)は、支柱(2)の外周に嵌め合わせられる治具本体(12)と、治具本体(12)が支柱(2)に嵌め合わされた際に支柱(2)の貫通孔(2a)内に挿入される挿入部材(13)とを備えている。
【００２０】
治具本体(12)は、左右の挟持部材(14)と、左右の挟持部材(14)を基端側において結合する連結部材(15)とからなる。治具本体(12)は、板ばねからなり、ばね性を有しており、治具本体(12)が支柱(2)に嵌め合わされた際に、左右の挟持部材(14)が左右に拡げられることで生じる弾性力によって支柱(2)を挟持するようになされている。
【００２１】
各挟持部材(14)は、挿入部材(13)が固定されている中央挟持部(21)と、中央挟持部(21)の先端側に連なる先端側挟持部(22)と、中央挟持部(21)の基端側に連なる基端側挟持部(23)とを備えている。
中央挟持部(21)は、左右で略平行となるように形成されており、先端側挟持部(22)および基端側挟持部(23)は、いずれも中央挟持部(21)に対して、内側に鈍角（図示した例では１３５°）で折り曲げられて形成されている。
各挟持部(21)(22)(23)は、平面から見て直線状に形成されており、それぞれが支柱(2)に線接触することで、計６点で支柱(2)を挟持するようになされている。
【００２２】
挿入部材(13)は、中央挟持部(21)に設けられている。挿入部材(13)は、例えば、平頭のリベットとされて、軸部(31)が中央挟持部(21)に設けられた貫通孔(21a)に挿通されてかしめられることにより、平頭部(32)が中央挟持部(21)から内側に突出するように中央挟持部(21)に固定されている。平頭部(32)は、ジョイントパイプ(5)の外周に干渉することなく支柱(2)の貫通孔(2a)内に挿入される寸法（厚みおよび径）を有しており、また、その外周部には、支柱(2)の貫通孔(2a)内に挿入されやすくするための面取り(32a)が施されている。
【００２３】
各挟持部材(14)は、さらに、先端側挟持部(22)に連なり、支柱(2)への嵌め合わせ作業時に支柱(2)に当接するガイド部(24)と、基端側挟持部(23)に連なり、支柱(2)への嵌め合わせ作業終了時に支柱(2)に当接するストッパ部(25)と、ストッパ部(25)に連なる重ね合わせ部(26)とを備えている。
【００２４】
ガイド部(24)は、先端側挟持部(22)に対して外側に直角で折り曲げられることで形成されて、自由端部となっており、その先端に折り返し部(24a)を有している。左右のガイド部(24)間の距離は、基端側で小さく、先端側で大きく（ただし、支柱(2)の径よりは小さく）なされている。ガイド部(24)は、支柱(2)への治具本体(12)の嵌め合わせ作業時に最初に支柱(2)に当接し、ばね性を有していることで、支柱(2)への嵌め合わせ作業に際して、ガイド部(24)間の距離を拡げることで追随し、支柱(2)への嵌め合わせ作業終了時には、ガイド部(24)間の距離が小さくなることで、治具本体(12)の抜けを防止するようになっている。
【００２５】
ストッパ部(25)は、基端側挟持部(23)に対して内側に鈍角（図示した例では１３５°）で折り曲げられて形成されており、中央挟持部(21)となす角は、直角とされている。ストッパ部(25)は、支柱(2)への嵌め合わせ作業終了時に支柱(2)に当接し、これにより、嵌め合わせ作業が終了したことを確認することができる。
中央挟持部(21)の中央からストッパ部(25)の先端側の面までの距離は、支柱(2)の半径に等しくなされており、これにより、挿入部材(13)は、ストッパ部(25)が支柱(2)に当接した際に支柱(2)貫通孔(2a)内に挿入されるように、その固定位置が設定されている。
【００２６】
重ね合わせ部(26)は、ストッパ部(25)に対して基端側に直角で折り曲げられて形成されている。各重ね合わせ部(26)には、先端側および基端側の貫通孔(26a)が形成されている。
【００２７】
連結部材(15)は、１対の挟持部材(14)の各重ね合わせ部(26)にそれぞれ重ね合わせられる１対の重ね合わせ部(27)と、１対の重ね合わせ部(27)の先端同士をつなぐように形成された輪状の把手部(28)とを備えている。
１対の重ね合わせ部(27)には、１対の挟持部材(14)の各重ね合わせ部(26)に対応して、先端側および基端側の貫通孔(27a)が形成されており、これら全ての重ね合わせ部(26)(27)が重ね合わせられてその貫通孔(26a)(27a)にかしめリベット(16)の軸が挿通されてかしめられることにより、１対の挟持部材(14)と連結部材(15)とが一体化されている。
輪状の把手部(28)を手で持って支柱(2)への嵌め合わせ作業を行うことにより、嵌め合わせ作業を楽に行うことができる。
【００２８】
次に、図３から図７までを参照して、ロック解除治具(11)を使用したロックピン(6)の解除の工程を示す。
ロックピン(6)は、逆Ｕ字状の板バネ体で、その互いに対向している下端部の外面に係合部(6a)がそれぞれ突出するように設けられており、図３などに示したように、ジョイントパイプ(5)に設けられた１対の貫通孔(5a)と支柱(2)に設けられた１対の貫通孔(2a)とが互いに重ね合わせられた状態で、これらの貫通孔(5a)(2a)内にロックピン(6)の係合部(6a)が板バネ体の弾性力で付勢されて挿入されることにより、ジョイントパイプ(5)に対する支柱(2)の抜け止め（ロック）を行うようになっている。
【００２９】
図３および図４は、ロック解除前の状態を示しており、支柱(2)がジョイントパイプ(5))に嵌め合わせられており、支柱(2)およびジョイントパイプ(5)にそれぞれ設けられた貫通孔(2a)(5a)の両方にロックピン(6)に設けられた係合部(6a)が嵌まり込むことで支柱(2))とジョイントパイプ(5)とがロックされている。
【００３０】
ロック解除治具(11)は、ロックピン(6)によるロックを解除するもので、支柱(2)に対し、支柱(2)に直交する方向から嵌め合わせられる。嵌め合わせに際しては、支柱(2)に設けられた１対の貫通孔(2a)の位置とロック解除治具(11)の挿入部材(13)の位置とが対応するように位置決めされた状態で、ロック解除治具(11)が支柱(2)に嵌め合わせられる。ロック解除治具(11)の左右の挟持部材(14)が左右に拡げられることで生じる弾性力は、ロックピン(6)の弾性力に比べて大きくなされており、挿入部材(13)が貫通孔(2a)に位置合わせされると、挿入部材(13)は、ロックピン(6)の弾性力に打ち勝って、貫通孔(2a)内に嵌まり込む。
なお、ジョイントパイプ(5)は、図４などに示すように、下側の支柱(2)に溶接(W)によって固定されている。
【００３１】
図５および図６は、ロック解除状態を示しており、ロック解除治具(11)は、ストッパ部(25)が支柱(2)に当接するように支柱(2)に嵌め合わせられ、これにより、１対の挟持部材(14)が６点で支柱(2)を挟持するとともに、支柱(2)の各貫通孔(2a)内に挿入部材(13)の平頭部(32)がちょうど嵌まり込む。
支柱(2)の各貫通孔(2a)内にロック解除治具(11)の挿入部材(13)の平頭部(32)がちょうど嵌まり込むと、ロックピン(6)の係合部(6a)は、平頭部(32)に押される形でジョイントパイプ(5)の貫通孔(5a)内に移動させられる。こうして、図３においては、ジョイントパイプ(5)に対する支柱(2)の移動がロックピン(6)の係合部(6a)によって阻止されているのに対し、図５においては、ロックピン(6)の係合部(6a)による阻止が解除されて、ジョイントパイプ(5)に対する支柱(2)の上方への移動が可能となっている。
【００３２】
図７は、ロック解除後に支柱を引き上げた状態を示しており、ロック解除治具(11)は、１対の挟持部材(14)が６点で支柱(2)を挟持した状態のままで支柱(2)とともに上方に移動する。ジョイントパイプ(5)およびロックピン(6)は、下側の支柱(2)に固定された状態が維持され、図７に示した状態で、上側の支柱(2)を下方に移動させれば、再び、図６に示した結合状態を得ることができる。
【００３３】
図８に、この支柱連結用ロックピンのロック解除治具(11)が使用される仮設足場(1)の１例が示されている。同図に示すように、仮設足場(1)は、左右に複数並ぶ支柱(2)と、これらの支柱(2)間に配置された足場板(3)および手摺(4)などとからなるブロック（仮設足場(1)の１段分）が複数段（図８には、最上段のブロック(1a)、２段目のブロック(1b)および３段目のブロック(1c)を示す）上下に並んで形成されている。
ここで、上下に隣り合う２本の支柱(2)同士は、図９に示すように、上側の支柱(2b)の下端部に上半部が、下側の支柱(2c)の上端部に上半部がそれぞれ挿入されたジョイントパイプ(5)と、ジョイントパイプ(5)からの支柱(2b)の抜けを防止するロックピン(6)とによって結合されている。そして、図３などに示したように、ジョイントパイプ(5)の貫通孔(5a)と支柱(2)の貫通孔(2a)とが互いに重ね合わせられた状態で、これらの貫通孔(5a)(2a)内にロックピン(6)の係合部(6a)が挿入されることにより、ジョイントパイプ(5)に対する支柱(2)の抜けが防止されている。
【００３４】
支柱(2)には、図９に示されているように、足場板(3)などの端部を受ける取付金具(7)が固定されており、この取付金具(7)に足場板(3)の端部が受けられるように支柱(2)が位置決めされていることで、ロックピン(6)の各係合部(6a)は、正面および背面（図８および図９の紙面の表側および裏側）を向くようになされている。
【００３５】
上記の仮設足場(1)において、最上段のブロック(1a)および２段目のブロック(1b)を３段目のブロック(1c)に対して、最上段のブロック(1a)および２段目のブロック(1b)の組立て状態を維持して分解したい場合、ロック解除治具(11)は、図８に示すように、２段目のブロック(1b)の下側に配置されている支柱(2b)と３段目のブロック(1c)の上側に配置されている支柱(3c)との結合部に左方または右方から取り付けられる。ロック解除治具(11)は全ての結合部に取り付けられ、これにより、各結合部は、図５に示した状態、すなわち、２段目のブロック(1b)の全ての下側の支柱(2b)がジョイントパイプ(5)に対してそのまま上方に移動可能な状態となる。
【００３６】
したがって、図８に示すように、クレーン(C)のロープを２段目のブロック(1b)に引っ掛けて、最上段のブロック(1a)および２段目のブロック(1b)を引き上げると、図１１に示すように、２段目のブロック(1b)の下側に配置されている支柱(2b)が３段目のブロック(1c)の上側に配置されている支柱(3c)に固定されているジョイントパイプ(5)に対して上方に移動し、図１０に示すように、最上段のブロック(1a)および２段目のブロック(1b)を組立て状態を維持したままで取り外すことができ、これにより、効率の良い分解作業（大組、大ばらし）を行うことができる。
【００３７】
図１２および図１３は、第２実施形態のロック解除治具(41)を示しており、ロック解除治具(41)は、支柱(2)の外周に嵌め合わせられる治具本体(42)と、治具本体(42)が支柱(2)に嵌め合わされた際に支柱(2)の貫通孔(2a)内に挿入される挿入部材(43)とを備えている。
【００３８】
第２実施形態のロック解除治具(41)は、第１実施形態のロック解除治具(11)が左右の挟持部材(14)を連結部材(15)で連結するという３部材(14)(15)構成であるのに対し、左右の挟持部材(44)とこれらを基端側において結合する連結部材(45)とが一体で形成されている。治具本体(42)は、板ばねからなり、ばね性を有しており、治具本体(42)が支柱(2)に嵌め合わされた際に、左右の挟持部材(44)が左右に拡げられることで生じる弾性力によって支柱(2)を挟持するようになされている。
【００３９】
各挟持部材(44)は、挿入部材(43)が固定されている中央挟持部(51)と、中央挟持部(51)の先端側に連なる先端側挟持部(52)と、中央挟持部(51)の基端側に連なる基端側挟持部(53)とを備えている。
中央挟持部(51)は、左右で略平行となるように形成されており、基端側挟持部(52)および先端側挟持部(53)は、いずれも中央挟持部(51)に対して、内側に鈍角（図示した例では１３５°）で折り曲げられて形成されている。
各挟持部(51)(52)(53)は、平面から見て直線状に形成されており、それぞれが支柱(2)に線接触することで、計６点で支柱(2)を挟持するようになされている。
【００４０】
挿入部材(43)は、中央挟持部(51)に設けられている。挿入部材(43)は、平頭のリベットとされて、軸部(61)が中央挟持部(51)に設けられた貫通孔(51a)に挿通されてかしめられることにより、平頭部(62)が中央挟持部(51)から内側に突出するように中央挟持部(51)に固定されている。平頭部(62)は、ジョイントパイプ(5)の外周に干渉することなく支柱(2)の貫通孔(2a)内に挿入される寸法（厚みおよび径）を有しており、また、その外周部には、支柱(2)の貫通孔(2a)内に挿入されやすくするための面取り(62a)が施されている。
【００４１】
各挟持部材(44)は、さらに、先端側挟持部(52)に連なり、支柱(2)への嵌め合わせ作業時に支柱(2)に当接するガイド部(54)と、基端側挟持部(53)に連なり、支柱(2)への嵌め合わせ作業終了時に支柱(2)に当接するストッパ部(55)と、ストッパ部(55)に連なる重ね合わせ部(56)と、１対の重ね合わせ部(56)の先端同士をつなぐように形成された輪状の把手部(58)とを備えている。
【００４２】
ガイド部(54)は、先端側挟持部(52)に対して外側に直角で折り曲げられることで形成されて、自由端部となっており、その先端に折り返し部(54a)を有している。左右のガイド部(54)間の距離は、基端側で小さく、先端側で大きく（ただし、支柱(2)の径よりは小さく）なされている。ガイド部(54)は、支柱(2)への治具本体(42)の嵌め合わせ作業時に最初に支柱(2)に当接し、ばね性を有していることで、支柱(2)への嵌め合わせ作業に際して、ガイド部(54)間の距離を拡げることで追随し、支柱(2)への嵌め合わせ作業終了時には、ガイド部(54)間の距離が小さくなることで、治具本体(42)の抜けを防止するようになっている。
【００４３】
ストッパ部(55)は、基端側挟持部(53)に対して内側に鈍角（図示した例では１３５°）で折り曲げられて形成されており、中央挟持部(51)となす角は、直角とされている。ストッパ部(55)は、支柱(2)への嵌め合わせ作業終了時に支柱(2)に当接し、これにより、嵌め合わせ作業が終了したことを確認することができる。
【００４４】
中央挟持部(51)の中央からストッパ部(55)の先端側の面までの距離は、支柱(2)の半径に等しくなされており、これにより、挿入部材(43)は、ストッパ部(55)が支柱(2)に当接した際に支柱(2)貫通孔(2a)内に挿入されるように、その固定位置が設定されている。
【００４５】
重ね合わせ部(56)は、ストッパ部(55)に対して基端側に直角で折り曲げられて形成されている。各重ね合わせ部(56)には、貫通孔(56a)が形成されている。そして、重ね合わせ部(56)同士が重ね合わせられて、その貫通孔(56a)にかしめリベット(57)の軸が挿通されてかしめられることにより、左右の挟持部材(44)間の距離が所定の値に設定されている。
【００４６】
第２実施形態のロック解除治具(41)によると、これを第１実施形態のロック解除治具(11)に代えて使用することで、図３から図１１までに示したのと同様に、ロックピン(6)のロックを解除して、最上段のブロック(1a)および２段目のブロック(1b)を組立て状態を維持したままで取り外すことができる。
【００４７】
第１実施形態のロック解除治具(11)の治具本体(12)および第２実施形態のロック解除治具(41)の治具本体(42)は、例えば、鋼板などの金属板をプレス加工するなどして成形される。治具本体(12)(42)は、合成樹脂によって製作することもできる。
【００４８】
なお、上記第１および第２実施形態では、各挟持部(21)(22)(23)(51)(52)(53)は、いずれも平面から見て略直線状に形成されていて、それぞれが支柱(2)に線接触するように形成されているが、これに代えて、中央挟持部(21)(51)、先端側挟持部(22)(52)および基端側挟持部(23)(53)が全体として平面から見て凹円弧状の湾曲面とされて、全体が湾曲面で支柱(2)と面接触するようにしてもよい。また、線接触する場合の支持は、６点支持に限られるものではなく、例えば、治具本体をコの字状に形成して最低２点で挟持すればよく、４点支持などとすることも可能である。
【産業上の利用可能性】
【００４９】
この発明は、仮設足場において、１または複数段の組立て状態を維持したままで取り外す際の支柱連結用ロックピンのロック解除治具として好適に用いられるものである。
【符号の説明】
【００５０】
(1)：仮設足場
(2)：支柱
(2a)：支柱の貫通孔
(5)：ジョイントパイプ
(5a)：ジョイントパイプの貫通孔
(6)：ロックピン
(6a)：ロックピンの係合部（突出部）
(11)(41)：ロック解除治具
(12)(42)：治具本体
(13)(43)：挿入部材
(14)(44)：挟持部材
(15)(45)：連結部材
(21)(51)：中央挟持部
(22)(52)：先端側挟持部
(23)(53)：基端側挟持部
(25)(55)：ストッパ部
(28)(58)：把手部
【要約】
【課題】隣り合う支柱同士が結合された状態のままにして仮設足場を分解する場合に、ロックピンによるロックを解除することができる、支柱連結用ロックピンのロック解除治具を提供する。
【解決手段】支柱連結用ロックピンのロック解除治具は、ばね性を有し、互いに対向して支柱の外周面を挟持する１対の挟持部材14を有する治具本体12と、各挟持部材14の対向面に設けられて支柱2の貫通孔2a内に挿入される挿入部材13とを備えている。
【選択図】図５【図１】
0006613427.tif 000002
【図２】
0006613427.tif 000003
【図３】
0006613427.tif 000004
【図４】
0006613427.tif 000005
【図５】
0006613427.tif 000006
【図６】
0006613427.tif 000007
【図７】
0006613427.tif 000008
【図８】
0006613427.tif 000009
【図９】
0006613427.tif 000010
【図１０】
0006613427.tif 000011
【図１１】
0006613427.tif 000012
【図１２】
0006613427.tif 000013
【図１３】
0006613427.tif 000014